【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
１つの表示画面を構成する複数の表示装置に画像コンテンツを表示させるための制御を行う表示制御装置であって、
基準画像データと、その基準画像データの送信先となる表示装置を示す情報とを含む送信データを、前記表示装置に送信する仮画像データ送信手段と、
前記基準画像データの送信先となる表示装置が前記基準画像データの表示処理を完了した時間を示す表示処理完了時間情報が含まれている返信データを、前記仮画像データ送信手段により送信された送信データを受信した前記表示装置から受信する受信手段と、
前記受信手段により受信された返信データに含まれている表示処理完了時間情報に基づいて、前記基準画像データを含む送信データを前記仮画像データ送信手段により送信してから前記複数の表示装置が前記基準画像データの表示処理を完了するまでの時間を示す時間情報を求める時間導出手段と、
前記複数の表示装置に対して前記画像コンテンツのデータを送信する送信スケジュールを、前記基準画像データを前記仮画像データ送信手段により送信してから前記複数の表示装置が前記基準画像データの表示処理を完了するまでの時間がかかる順で前記画像コンテンツのデータが送信されるように、前記時間導出手段により求められた時間情報に基づいて調整する調整手段と、
前記画像コンテンツのデータの前記表示装置における表示予定時刻を求める表示予定時刻導出手段と、
前記画像コンテンツのデータと、その画像コンテンツのデータに基づく表示処理を行う表示装置における表示予定時刻に関する情報とを含む表示用データを、前記調整手段により調整された送信スケジュールに基づいて、前記表示装置に送信する本画像データ送信手段とを有することを特徴とする表示制御装置。
【請求項２】
１つの表示画面を構成する複数の表示装置と、その１つの表示画面に画像コンテンツを表示させるための制御を行う表示制御装置とを有する表示システムであって、
前記表示制御装置は、基準画像データと、その基準画像データの送信先となる表示装置を示す情報とを含む送信データを、前記表示装置に送信する仮画像データ送信手段と、
前記基準画像データの送信先となる表示装置によって前記基準画像データの表示処理が完了された時間を示す表示処理完了時間情報が含む返信データを、前記仮画像データ送信手段により送信された送信データを受信した前記表示装置から受信する受信手段と、
前記受信手段により受信された返信データに含まれている表示処理完了時間情報に基づいて、前記基準画像データを含む送信データを前記仮画像データ送信手段により送信してから前記複数の表示装置が前記基準画像データの表示処理を完了するまでの時間を示す時間情報を求める時間導出手段と、
前記複数の表示装置に対して前記画像コンテンツのデータを送信する送信スケジュールを、前記基準画像データを前記仮画像データ送信手段により送信してから前記複数の表示装置が前記基準画像データの表示処理を完了するまでの時間がかかる順で前記画像コンテンツのデータが送信されるように、前記時間導出手段により求められた時間情報に基づいて調整する調整手段と、
前記画像コンテンツのデータの前記表示装置における表示予定時刻を求める表示予定時刻導出手段と、
前記画像コンテンツのデータと、その画像コンテンツのデータに基づく表示処理を行う表示装置における表示予定時刻に関する情報とを含む表示用データを、前記調整手段により調整された送信スケジュールに基づいて、前記表示装置に送信する本画像データ送信手段とを有し、
前記複数の表示装置は、前記仮画像データ送信手段により送信された送信データを受信する受信手段と、
前記基準画像データに基づく画像の表示先となる表示装置が自身の表示装置であることを示す情報が、前記受信手段により受信された送信データに含まれている場合に、その基準画像データの表示処理を行う表示処理手段と、
前記表示処理手段によって前記基準画像データの表示処理が完了された時間を示す前記表示処理完了時間情報を含む前記返信データを前記表示制御装置に返信する返信手段とを有することを特徴とする表示システム。
【請求項３】
１つの表示画面を構成する複数の表示装置に画像コンテンツのデータを表示させるための表示制御方法であって、
表示制御装置が、基準画像データと、その基準画像データの送信先となる表示装置を示す情報とを含む送信データを、前記表示装置に送信する仮画像データ送信ステップと、
前記表示制御装置が、前記基準画像データの送信先となる表示装置が前記基準画像データの表示処理を完了した時間を示す表示処理完了時間情報が含まれている返信データを、前記仮画像データ送信ステップで送信された送信データを受信した前記表示装置から受信する受信ステップと、
前記表示制御装置が、前記受信ステップで受信された返信データに含まれている表示処理完了時間情報に基づいて、前記基準画像データを含む送信データを前記仮画像データ送信ステップで送信してから前記複数の表示装置が前記基準画像データの表示処理を完了するまでの時間を示す時間情報を求める時間導出ステップと、
前記表示制御装置が、前記複数の表示装置に対して画像コンテンツのデータを送信する送信スケジュールを、前記基準画像データを前記仮画像データ送信ステップで送信してから前記複数の表示装置が前記基準画像データの表示処理を完了するまでの時間がかかる順で前記画像コンテンツのデータが送信されるように、前記時間導出ステップで求められた時間情報に基づいて調整する調整ステップと、
前記表示制御装置が、前記画像コンテンツのデータの前記表示装置における表示予定時刻を求める表示予定時刻導出ステップと、
前記表示制御装置が、前記画像コンテンツのデータと、その画像コンテンツのデータに基づく表示処理を行う表示装置における表示予定時刻に関する情報とを含む表示用データを、前記調整ステップで調整された送信スケジュールに基づいて、前記表示装置に送信する本画像データ送信ステップとを有することを特徴とする表示制御方法。
【請求項４】
１つの表示画面を構成する複数の表示装置に画像コンテンツのデータを表示させるための制御手順をコンピュータに実行させるコンピュータプログラムであって、
基準画像データと、その基準画像データの送信先となる表示装置を示す情報とを含む送信データを、前記表示装置に送信する仮画像データ送信手順と、
前記基準画像データの送信先となる表示装置が前記基準画像データの表示処理を完了した時間を示す表示処理完了時間情報が含まれている返信データを、前記仮画像データ送信手順で送信された送信データを受信した前記表示装置から受信する受信手順と、
前記受信手順で受信された返信データに含まれている表示処理完了時間情報に基づいて、前記基準画像データを含む送信データを前記仮画像データ送信手順で送信してから前記複数の表示装置が前記基準画像データの表示処理を完了するまでの時間を示す時間情報を求める時間導出手順と、
前記複数の表示装置に対して前記画像コンテンツのデータを送信する送信スケジュールを、前記基準画像データを前記仮画像データ送信手順で送信してから前記複数の表示装置が前記基準画像データの表示処理を完了するまでの時間がかかる順で前記画像コンテンツのデータが送信されるように、前記時間導出手順で求められた時間情報に基づいて調整する調整手順と、
前記画像コンテンツのデータの前記表示装置における表示予定時刻を求める表示予定時刻導出手順と、
前記画像コンテンツのデータと、その画像コンテンツのデータに基づく表示処理を行う表示装置における表示予定時刻に関する情報とを含む表示用データを、前記調整手順で調整された送信スケジュールに基づいて、前記表示装置に送信する本画像データ送信手順とをコンピュータに実行させることを特徴とするコンピュータプログラム。
【手続補正２】
【補正対象書類名】明細書
【補正対象項目名】００１３
【補正方法】変更
【補正の内容】
【００１３】
本発明の表示制御装置は、１つの表示画面を構成する複数の表示装置に画像コンテンツを表示させるための制御を行う表示制御装置であって、基準画像データと、その基準画像データの送信先となる表示装置を示す情報とを含む送信データを、前記表示装置に送信する仮画像データ送信手段と、前記基準画像データの送信先となる表示装置が前記基準画像データの表示処理を完了した時間を示す表示処理完了時間情報が含まれている返信データを、前記仮画像データ送信手段により送信された送信データを受信した前記表示装置から受信する受信手段と、前記受信手段により受信された返信データに含まれている表示処理完了時間情報に基づいて、前記基準画像データを含む送信データを前記仮画像データ送信手段により送信してから前記複数の表示装置が前記基準画像データの表示処理を完了するまでの時間を示す時間情報を求める時間導出手段と、前記複数の表示装置に対して前記画像コンテンツのデータを送信する送信スケジュールを、前記基準画像データを前記仮画像データ送信手段により送信してから前記複数の表示装置が前記基準画像データの表示処理を完了するまでの時間がかかる順で前記画像コンテンツのデータが送信されるように、前記時間導出手段により求められた時間情報に基づいて調整する調整手段と、前記画像コンテンツのデータの前記表示装置における表示予定時刻を求める表示予定時刻導出手段と、前記画像コンテンツのデータと、その画像コンテンツのデータに基づく表示処理を行う表示装置における表示予定時刻に関する情報とを含む表示用データを、前記調整手段により調整された送信スケジュールに基づいて、前記表示装置に送信する本画像データ送信手段とを有することを特徴とする。
【手続補正３】
【補正対象書類名】明細書
【補正対象項目名】００１４
【補正方法】変更
【補正の内容】
【００１４】
本発明の表示制御方法は、１つの表示画面を構成する複数の表示装置に画像コンテンツのデータを表示させるための表示制御方法であって、表示制御装置が、基準画像データと、その基準画像データの送信先となる表示装置を示す情報とを含む送信データを、前記表示装置に送信する仮画像データ送信ステップと、前記表示制御装置が、前記基準画像データの送信先となる表示装置が前記基準画像データの表示処理を完了した時間を示す表示処理完了時間情報が含まれている返信データを、前記仮画像データ送信ステップで送信された送信データを受信した前記表示装置から受信する受信ステップと、前記表示制御装置が、前記受信ステップで受信された返信データに含まれている表示処理完了時間情報に基づいて、前記基準画像データを含む送信データを前記仮画像データ送信ステップで送信してから前記複数の表示装置が前記基準画像データの表示処理を完了するまでの時間を示す時間情報を求める時間導出ステップと、前記表示制御装置が、前記複数の表示装置に対して画像コンテンツのデータを送信する送信スケジュールを、前記基準画像データを前記仮画像データ送信ステップで送信してから前記複数の表示装置が前記基準画像データの表示処理を完了するまでの時間がかかる順で前記画像コンテンツのデータが送信されるように、前記時間導出ステップで求められた時間情報に基づいて調整する調整ステップと、前記表示制御装置が、前記画像コンテンツのデータの前記表示装置における表示予定時刻を求める表示予定時刻導出ステップと、前記表示制御装置が、前記画像コンテンツのデータと、その画像コンテンツのデータに基づく表示処理を行う表示装置における表示予定時刻に関する情報とを含む表示用データを、前記調整ステップで調整された送信スケジュールに基づいて、前記表示装置に送信する本画像データ送信ステップとを有することを特徴とする。
【手続補正４】
【補正対象書類名】明細書
【補正対象項目名】００１５
【補正方法】変更
【補正の内容】
【００１５】
本発明のコンピュータプログラムは、１つの表示画面を構成する複数の表示装置に画像コンテンツのデータを表示させるための制御手順をコンピュータに実行させるコンピュータプログラムであって、基準画像データと、その基準画像データの送信先となる表示装置を示す情報とを含む送信データを、前記表示装置に送信する仮画像データ送信手順と、前記基準画像データの送信先となる表示装置が前記基準画像データの表示処理を完了した時間を示す表示処理完了時間情報が含まれている返信データを、前記仮画像データ送信手順で送信された送信データを受信した前記表示装置から受信する受信手順と、前記受信手順で受信された返信データに含まれている表示処理完了時間情報に基づいて、前記基準画像データを含む送信データを前記仮画像データ送信手順で送信してから前記複数の表示装置が前記基準画像データの表示処理を完了するまでの時間を示す時間情報を求める時間導出手順と、前記複数の表示装置に対して前記画像コンテンツのデータを送信する送信スケジュールを、前記基準画像データを前記仮画像データ送信手順で送信してから前記複数の表示装置が前記基準画像データの表示処理を完了するまでの時間がかかる順で前記画像コンテンツのデータが送信されるように、前記時間導出手順で求められた時間情報に基づいて調整する調整手順と、前記画像コンテンツのデータの前記表示装置における表示予定時刻を求める表示予定時刻導出手順と、前記画像コンテンツのデータと、その画像コンテンツのデータに基づく表示処理を行う表示装置における表示予定時刻に関する情報とを含む表示用データを、前記調整手順で調整された送信スケジュールに基づいて、前記表示装置に送信する本画像データ送信手順とをコンピュータに実行させることを特徴とする。
【手続補正５】
【補正対象書類名】明細書
【補正対象項目名】００２３
【補正方法】変更
【補正の内容】
【００２３】
また、ディスプレイユニット２５〜２８を、枠状のガイド部材に取付けることができる。ユーザは、２×２（２行２列）に配置されたディスプレイユニット２５〜２８を支持できるようなガイド部材にディスプレイユニット２５〜２８を嵌め込む。更にユーザは、これらディスプレイユニット２５〜２８に電源や信号線を接続する。これによりディスプレイユニット２５〜２８による大画面が構成される。ディスプレイユニット２５〜２８の取付け位置に応じて、ディスプレイユニット２５〜２８にユニークな識別子を割当てておくことで、各ディスプレイユニット２５〜２８の識別と、各ディスプレイユニット２５〜２８の位置の特定とを行える。また、各ディスプレイユニット２５〜２８の結合面にセンサを設けておき、そのセンサの検出結果から、各ディスプレイユニット２５〜２８の位置を特定できるようにしてもよい。例えば、ディスプレイユニット２５〜２８の結合可能な４方向（例えば上面、下面、両側面）にセンサを設けておく。ディスプレイユニット２５〜２８が結合されると、各ディスプレイユニット２５〜２８は、センサを用いて結合相手とＩＤを交換する。このようにして各ディスプレイユニット２５〜２８が保持したＩＤを集計することにより、各ディスプレイユニット２５〜２８の位置を特定できる。
【手続補正６】
【補正対象書類名】明細書
【補正対象項目名】００３３
【補正方法】変更
【補正の内容】
【００３３】
図５は、マルチディスプレイ制御部２３の構成の一例を示す図である。
図５において、マルチディスプレイ制御部２３は、マルチディスプレイシステムの全体の制御を行う。マルチディスプレイ制御部２３は、例えば、ＣＰＵ、ＲＯＭやＲＡＭ等のメモリ、バス、及び各種インタフェース等を備えて構成されている。ＣＰＵが、ＲＯＭに記録されているプログラムを、ＲＡＭを用いる等して実行することにより、マルチディスプレイシステムの全体の制御を行う。
【手続補正７】
【補正対象書類名】明細書
【補正対象項目名】００４７
【補正方法】変更
【補正の内容】
【００４７】
表示制御部７７は、表示パネル７９の駆動制御を行う。表示制御部７７は、例えば、水平同期信号・垂直同期信号や、データ転送クロック等の駆動信号に同期させて画像データを表示パネル７９に出力する。尚、画像データは不図示のVRAM等のメモリに格納されており、前記駆動信号のタイミングに同期して読み出され、表示パネル７９に出力される。
【手続補正８】
【補正対象書類名】明細書
【補正対象項目名】００４９
【補正方法】変更
【補正の内容】
【００４９】
表示パネル７９は、自身の表示担当領域の画像データを表示する。表示パネル７９としては、前述したように、例えば、ＳＥＤ、ＬＣＤ、プラズマディスプレイ、又は投射型ディスプレイ等、任意の方式の表示デバイスを使用することができる。
【手続補正９】
【補正対象書類名】明細書
【補正対象項目名】００５６
【補正方法】変更
【補正の内容】
【００５６】
（ステップＳ１０５）
プローブパケット生成部６７は、プローブパケット９０を生成する。具体的にプローブパケット生成部６７は、プローブパケット９０のペイロード９２として、ステップＳ１０４で圧縮された基準画像データを格納する。プローブパケット生成部６７は、プローブパケット９０であることを示すＩＤ情報をパケット識別情報部９３に格納する。プローブパケット生成部６７は、送信先ＩＤ情報（ブロードキャスト値）を送信先ＩＤ部９４に格納する。プローブパケット生成部６７は、属性データを属性データ部９５に格納する。続いて、プローブパケット生成部６７は、プローブパケット９０が送信された時刻を示す送信時刻情報をタイムスタンプとしてプローブパケット９０に付加して（送信時刻部９６に格納して）、ディスプレイユニット２５〜２８に送信する。
【手続補正１０】
【補正対象書類名】明細書
【補正対象項目名】００８１
【補正方法】変更
【補正の内容】
【００８１】
（ステップＳ３０２）
パケット解析・識別部７３は、受信したパケットのヘッダ５１、９１の送信先ＩＤ部５４、９４に格納されている送信先ＩＤ情報に基づいて、受信したパケットが自身の担当分であるか否かを判定する。この判定の結果、受信したパケットが自身の担当分でなかった場合、パケット解析・識別部７３は、そのパケットをデータパケット送信部７０へ出力する。そして、後述するステップＳ３０７に進む。一方、受信したパケットが自身の担当分である場合には、ステップＳ３０３に進む。
【手続補正１１】
【補正対象書類名】明細書
【補正対象項目名】００８５
【補正方法】変更
【補正の内容】
【００８５】
（ステップＳ３０６）
プローブパケット制御部７４は、ステップＳ３０５で画像処理部７６から出力された表示処理完了時刻情報をプローブパケット９０に付加する。
（ステップＳ３０７）
プローブパケット制御部７４は、受信時刻情報や表示処理完了時刻情報等が付加されたプローブパケット９０を、ヘッダ９１に格納されている送信先ＩＤ情報の指すディスプレイユニット２５〜２８又はマルチディスプレイ制御部２３に送信する。
【手続補正１２】
【補正対象書類名】明細書
【補正対象項目名】００８６
【補正方法】変更
【補正の内容】
【００８６】
尚、ステップＳ３０２において、受信したパケットがデータパケット送信部７０に入力された場合には（受信したパケットが自身の担当分のパケットでない場合には）、ステップＳ３０７で以下の処理を行う。即ち、データパケット送信部７０は、受信したパケットのヘッダ５１、９１に格納されている送信先ＩＤ情報の指すディスプレイユニット又はマルチディスプレイ制御部２３に、受信したパケットを送信する。
【手続補正１３】
【補正対象書類名】明細書
【補正対象項目名】００９４
【補正方法】変更
【補正の内容】
【００９４】
図１１において、コンテンツサーバ２０は、クライアント（例えば不図示のクライアント端末装置）からの要求に応じて、画像コンテンツのデータを、マルチディスプレイシステム４１にストリーミング配信する。マルチディスプレイシステム４１は、コンテンツサーバ２０からストリーミング配信された画像コンテンツのデータを受信し、受信した画像コンテンツのデータに基づく画像を表示する。通信回線２２は、ストリーミング配信される画像コンテンツのデータを伝送するためのものである。通信回線２２としては、インターネット等のネットワークや、ＩＥＥＥ１３９４等の機器間インタフェース等、様々な方式のものを利用できる。